(57)【要約】【課題】同軸ケーブルとアンテナとを接続したときの電気特性を向上させるために、同軸ケーブルとコネクタを一定の位置で固定し半田付けできる同軸ケーブル用コネクタ半田付け冶具及び該半田付け冶具を用いた半田付けの方法を提供する。【解決手段】中心導体と絶縁被覆と外部導体と外部被覆とを有する同軸ケーブルと、ガイド部品と中心ピンと絶縁体と袋ナットとを有するコネクタとの接続の際の半田付け方法において、前記同軸ケーブルをクランプするための第１の外壁部と、前記ガイド部品を保持するための第１の内壁部と、前記中心導体が挿入された中心ピンを保持するための第２の内壁部と、前記中心導体が挿入された中心ピンの先端を保持するための第２の外壁部と、を有する同軸ケーブル用コネクタ半田付け冶具を用いる。【選択図】図１
2011210414.tif 000002
【特許請求の範囲】
【請求項１】
中心導体と前記中心導体の外側に形成された絶縁被覆と、前記絶縁被覆の外側に形成された外部導体と、前記外部導体の外側に形成された外部被覆とを有する同軸ケーブルと、
前記外部被覆が除去された同軸ケーブルが挿入されるガイド部品と、前記外部導体と前記絶縁被覆が除去されて残された中心導体が挿入される中心ピンと、前記中心ピンが挿入される絶縁体と、前記ガイド部品と共に前記中心ピンと前記絶縁体とを保持固定する袋ナットとを有するコネクタと、の接続の際に用いられる半田付け冶具であって、
前記同軸ケーブルをクランプするための第１の外壁部と、
前記ガイド部品を保持するための第１の内壁部と、
前記中心導体が挿入された中心ピンを保持するための第２の内壁部と、
前記中心導体が挿入された中心ピンの先端を保持するための第２の外壁部と、
を有することを特徴とする同軸ケーブル用コネクタ半田付け冶具。
【請求項２】
請求項１に記載の半田付け冶具において、前記第１の外壁部には前記同軸ケーブルを挿入する溝が形成されており、前記第１の内壁部には前記ガイド部品を挿入保持するための穴が形成されており、第２の内壁部には前記中心導体が挿入された中心ピンを挿入保持するための穴が形成されており、第２の外壁部には中心導体が挿入された中心ピンの先端を挿入保持するための穴が形成されていることを特徴とする同軸ケーブル用コネクタ半田付け冶具。
【請求項３】
請求項２に記載の半田付け冶具において、前記第２の内壁部は、前記同軸ケーブルの前記絶縁被覆の端面と前記ガイド部品の外面を同じ位置に揃えて当接するように設けられたことを特徴とする同軸ケーブル用コネクタ半田付け冶具。
【請求項４】
請求項２に記載の半田付け冶具において、前記第２の内壁部の穴は階段状の穴であり、前記第２の内壁部は、前記階段状の穴によって、前記同軸ケーブルの前記絶縁被覆の端面と前記ガイド部品の外面をそれぞれ異なった位置に当接するように設けられたことを特徴とする同軸ケーブル用コネクタ半田付け冶具。
【請求項５】
前記第２の外壁部の穴に、前記中心ピンを前記絶縁被覆の端面に押え付ける押え付け部品が設けられていることを特徴とする請求項２〜４の何れかに記載の同軸ケーブル用コネクタ半田付け冶具。
【請求項６】
前記押え付け部品は前記第２の外壁部との間に挿入されたスプリングであり、前記スプリングの張力により、前記中心ピンを押えつけることを特徴とする請求項５に記載の同軸ケーブル用コネクタ半田付け冶具。
【請求項７】
前記第２の内壁部の穴の直径は、前記同軸ケーブルの前記絶縁被覆の外径よりも小さいことを特徴とする請求項２〜６のいずれかに記載の同軸ケーブル用コネクタ半田付け冶具。
【請求項８】
前記第２の内壁部の穴の直径は、前記中心ピンの外径よりも大きいことを特徴とする請求項２〜７のいずれかに記載の同軸ケーブル用コネクタ半田付け冶具。
【請求項９】
前記同軸ケーブル、前記中心ピン、及び前記コネクタのガイド部品の少なくとも何れか一つを上部から搭載できるように、前記第１の外壁部、前記第１の内壁部、前記第２の内壁部、及び前記第２の外壁部の少なくとも何れか一つに開閉式の冶具を採用したことを特徴とする請求項１〜８に記載の同軸ケーブル用コネクタ半田付け冶具。
【請求項１０】
請求項１〜９の何れかに記載の同軸ケーブル用コネクタ半田付け冶具を用いた半田付けの方法。
【発明の詳細な説明】
【技術分野】
【０００１】
本発明は、同軸ケーブルにコネクタを取り付ける際に、同軸ケーブルとコネクタを構成する部品との半田接合をしやすくするため、前記同軸ケーブルと前記コネクタを構成する部品を容易に保持できる同軸ケーブル用コネクタ半田付け冶具及び該同軸ケーブル用コネクタ半田付け冶具を用いた半田付けの方法に関するものである。
【背景技術】
【０００２】
従来から、主に高周波通信用として、アンテナと電力制御室の配電盤に設けられた給電部に、同軸ケーブルを接続するために、同軸ケーブルの先端に、コネクタを取付ける作業が行われている。図３及び図４は、この種の同軸ケーブルと、その端末に取付けるコネクタの構成の一例を示す図である。
【０００３】
図３に示す同軸ケーブルは、中心導体１３と前記中心導体の外側に形成された絶縁被覆１２と、前記絶縁被覆の外側に形成された外部導体１４と、前記外部導体の外側に形成された外部被覆１５で構成されている。また、図４に示すコネクタは、前記外部被覆を除去し、前記外部導体及び前記絶縁被覆が所定の長さになるように前記中心導体を残して段階的に切除した同軸ケーブルが挿入され、前記中心導体と半田で接合される中心ピン１６と、前記外部被覆を除去した同軸ケーブルの端面に合わせ挿入し、半田で接合されるガイド部品１９と、前記中心ピン１６に挿入される絶縁体１８と前記ガイド部品１９と共に前記中心ピン１６と前記絶縁体１８とを保持固定する袋ナット１７で構成されている。
【０００４】
同軸ケーブルのインピーダンスをより安定させるためには、同軸ケーブルは外部被覆１５を除去した後、中心導体１３を残すようにして、外部被覆１５、外部導体１４と絶縁被覆１２の切断位置が同じになるように切除する方法が採用される。このようにして得られた同軸ケーブルの中心導体を中心ピンの中心導体挿入溝２１に挿入し、前記中心ピンの半田孔２０から半田を溶かしながら接合していき、中心導体１３を中心ピン１６の指定の位置に取付ける。
【０００５】
その後、上述した同軸ケーブルの絶縁被膜の端面とコネクタのガイド部品の端面が指定の位置、例えば、両者の端面が平坦になるように挿入し、万力などの固定工具により、前記中心ピン１６を固定する（例えば、特許文献１を参照）。最後に、同軸ケーブルの端面の逆側から、ガイド部品１９と外部導体１４の隙間に半田を溶かしながら注入して、前記ガイド部品と前記外部導体を接合していき、同軸ケーブル端面とガイド部品の端面が所定の位置になるように取り付ける。
【０００６】
その後、上述した中心ピン１６に前記コネクタの構成部品である絶縁体１８を挿入する。さらに、袋ナット１７に挿入し、ガイド部品のネジ部と袋ナットのネジ切り部を回転させ、トルクスパナで締付し、同軸ケーブルを完成する。
【０００７】
しかしながら、上述の通り、同軸ケーブルとガイド部品の取り付けの際に万力などの固定工具を利用し中心ピンを挟むので、中心ピンに傷がつく。
【０００８】
また、万力などの固定工具を用いて同軸ケーブルの端面とガイド部品の端面を平坦に合わせるよう半田付けするが、不安定であり、取り付け位置にバラツキが生じやすく、平坦になっているか確認しながら半田付けするのに時間が掛かってしまう。
【０００９】
万力などの固定工具を用いないで同軸ケーブルの中心導体と中心ピンを半田付けする方法としては、半田付けすべき同軸コネクタの中心コネクタ（中心ピンに相当するもの）が芯線（中心導体に相当するもの）に被せられた同軸ケーブルの先端部を収納して固定するための固定溝を有する同軸ケーブル用コネクタ取付け冶具及び該同軸ケーブル用コネクタ取付け冶具を用いた半田付けの方法が開示されている（特許文献２）。また、別の方法として、同軸ケーブルを固定するためのクランプ体と同軸ケーブルの内部導体とコンタクト（中心ピンに相当するもの）を半田付けするためのサポーターを挿入したホルダーとを有するコネクタ組立冶具及び該コネクタ組立冶具に用いた半田付けの方法が開示されている（特許文献３）。
【先行技術文献】
【特許文献】
【００１０】
【特許文献１】特開２０００−１２３９４１号公報
【特許文献２】特開２０００−４５１７号公報
【特許文献３】特開平１１−９７１４３号公報
【発明の概要】
【発明が解決しようとする課題】
【００１１】
しかしながら、特許文献２に記載された同軸ケーブル用コネクタ取付け冶具は、同軸コネクタの中心コネクタと同軸ケーブルの芯線との半田付けに適用されるものであって、前記同軸コネクタにおける中心コネクタ以外の部品と同軸ケーブルの構成部品との位置を高精度に接合又は接続するための接合方法までは考慮されていない。そのため、同軸ケーブルを同軸コネクタに締め付ける際に、中心コンタクトが動きやすく、同軸コネクタ内に配置される中心コンタクトの位置にバラツキが生じやすいという問題がある。加えて、同軸ケーブルをコネクタへ取り付ける作業中に、同軸ケーブルの芯線と中心コネクタとの半田付け部分を変形させたり、破損したりする場合がある。また、特許文献３に記載のコネクタ組立冶具は、保持固定されている箇所が同軸ケーブル及び同軸ケーブルの内部導体とコンタクトを含むサポーターの２点だけであるため、同軸ケーブルのコネクタへの取り付け位置が変動しやすいという問題を十分に解決することができない。加えて、特許文献２の場合と同じように、同軸ケーブルをコネクタへ取り付ける際に、同軸ケーブルの芯線と中心コネクタとの半田付け部分を変形させたり、破損したりする。
【００１２】
従来技術が有する上記の問題は、同軸ケーブルとアンテナと接続したときに、結果的にインピーダンス整合がとりづらくなり、また、安定的なインピーダンス特性を得ることが難しいという問題を発生させる。最悪の場合は、アンテナの給電部を破壊してしまう恐れがある。
【００１３】
そこで、本発明は、前述の問題を解決し、同軸ケーブルとコネクタを一定の位置で固定し半田付けできる同軸ケーブル用コネクタ半田付け冶具及び該同軸ケーブル用コネクタ半田付け冶具を用いた半田付けの方法を提供することである。また、位置合わせの時間の短縮をはかることができる同軸ケーブル用コネクタ半田付け冶具及び該同軸ケーブル用コネクタ半田付け冶具を用いた半田付けの方法を提供することを目的とする。
【課題を解決するための手段】
【００１４】
前記目的を達成するために、本発明者等は、同軸ケーブルの中心導体（芯線）を挿入した中心ピン（中心コネクタ）のコネクタ内における位置のバラツキを低減すると同時に、同軸ケーブルの中心導体と中心ピンとの半田付け部分の変形や破損を防止するために同軸ケーブルとコネクタとの接続の際に用いられる半田付け冶具及び半田付けの方法について鋭意検討を行った結果、本発明に到った。
【００１５】
（１）本発明は、中心導体と前記中心導体の外側に形成された絶縁被覆と、前記絶縁被覆の外側に形成された外部導体と、前記外部導体の外側に形成された外部被覆とを有する同軸ケーブルと、前記外部被覆が除去された同軸ケーブルが挿入されるガイド部品と、前記外部導体と前記絶縁被覆が除去されて残された中心導体が挿入される中心ピンと、前記中心ピンが挿入される絶縁体と、前記ガイド部品と共に前記中心ピンと前記絶縁体とを保持固定する袋ナットとを有するコネクタとの接続の際に用いられる半田付け冶具であって、前記同軸ケーブルをクランプするための第１の外壁部と、前記ガイド部品を保持するための第１の内壁部と、前記中心導体が挿入された中心ピンを保持するための第２の内壁部と、前記中心導体が挿入された中心ピンの先端を保持するための第２の外壁部と、を有することを特徴とする同軸ケーブル用コネクタ半田付け冶具を提供する。
（２）本発明は、前記（１）に記載の半田付け冶具において、前記第１の外壁部には前記同軸ケーブルを挿入する溝が形成されており、前記第１の内壁部には前記ガイド部品を挿入保持するための穴が形成されており、第２の内壁部には前記中心導体が挿入された中心ピンを挿入保持するための穴が形成されており、第２の外壁部には中心導体が挿入された中心ピンの先端を挿入保持するための穴が形成されていることを特徴とする同軸ケーブル用コネクタ半田付け冶具を提供する。
（３）本発明は、前記（２）に記載の半田付け冶具において、前記第２の内壁部は、前記同軸ケーブルの前記絶縁被覆の端面と前記ガイド部品の外面を同じ位置に揃えて当接するように設けられたことを特徴とする同軸ケーブル用コネクタ半田付け冶具を提供する。
（４）本発明は、前記（２）に記載の半田付け冶具において、前記第２の内壁部の穴は階段状の穴であり、前記第２の内壁部は、前記階段状の穴によって、前記同軸ケーブルの前記絶縁被覆の端面と前記ガイド部品の外面をそれぞれ異なった位置に当接するように設けられたことを特徴とする同軸ケーブル用コネクタ半田付け冶具を提供する。
（５）本発明は、前記第２の外壁部の穴に、前記中心ピンを前記絶縁被覆の端面に押え付ける押え付け部品が設けられていることを特徴とする前記（２）〜（４）の何れかに記載の同軸ケーブル用コネクタ半田付け冶具を提供する。
（６）本発明は、前記押え付け部品が前記第２の外壁部との間に挿入されたスプリングであり、前記スプリングの張力により、前記中心ピンを押えつけることを特徴とする前記（５）に記載の同軸ケーブル用コネクタ半田付け冶具を提供する。
（７）本発明は、前記第２の内壁部の穴の直径が、前記同軸ケーブルの前記絶縁被覆の外径よりも小さいことを特徴とする前記（２）〜（６）のいずれかに記載の同軸ケーブル用コネクタ半田付け冶具を提供する。
（８）本発明は、前記第２の内壁部の穴の直径は、前記中心ピンの外径よりも大きいことを特徴とする前記（２）〜（７）のいずれかに記載の同軸ケーブル用コネクタ半田付け冶具を提供する。
（９）本発明は、前記同軸ケーブル、前記中心ピン、及び前記コネクタのガイド部品の少なくとも何れか一つを上部から搭載できるように、前記第１の外壁部、前記第１の内壁部、前記第２の内壁部、及び前記第２の外壁部の少なくとも何れか一つに開閉式の冶具を採用したことを特徴とする請求項１〜８に記載の同軸ケーブル用コネクタ半田付け冶具を提供する。
（１０）本発明は、前記（１）〜（９）の何れかに記載の同軸ケーブル用コネクタ半田付け冶具を用いた半田付けの方法を提供する。
【発明の効果】
【００１６】
本発明によれば、同軸ケーブルをクランプするための第１の外壁部と前記中心導体が挿入された中心ピンの先端を保持するための第２の外壁部だけではなく、コネクタの構成部品の一つであるガイド部品を保持するための第１の内壁部と、外部被膜、外部導体及び絶縁被覆が除去されて残された中心導体が挿入された中心ピンを保持するための第２の内壁部とを有する半田付け冶具を用いることによって、同軸ケーブル中の中心導体と中心導体が挿入される中心ピンとを指定の位置に精度良く半田付けすることができ、前記中心ピンのコネクタ内における位置のバラツキを低減することができる。本発明は、前記中心ピンと前記同軸ケーブルの中心導体との半田接合だけではなく、同時に、同軸ケーブルの端面の逆側から前記ガイド部品と前記同軸ケーブルの外部導体の隙間に半田を溶かしながら両者を接合する工程を採用することができるため、同軸ケーブルの構成部品とコネクタの構成部品との接合又は接続位置を高精度に設定できる。加えて、前記同軸ケーブルとコネクタを取り付けるときに、前記の中心導体と中心ピンとの半田接合部に発生するダメージを小さくすることができる。それによって、同軸ケーブルの中心と中心コネクタとの半田付け部分の変形や破損を防止できるため、アンテナの給電部を破壊してしまう等の問題の発生を防止することができる。また、本発明の半田付け冶具及び半田付けの方法によって、同軸ケーブルをコネクタ中に一定の位置で高精度に設けることができるため、同軸ケーブルとアンテナと接続したときに、インピーダンス整合がとりやすくなると同時に、安定的なインピーダンス特性を得ることができる。
【００１７】
また、本発明は、前記第２の内壁部は、前記中心導体が挿入された中心ピンを挿入保持するために形成された穴の形状によって、前記同軸ケーブルの前記絶縁被覆の端面と前記ガイド部品の外面が所定の位置に高精度に配置できるように設けられているために、同軸ケーブルとアンテナと接続したときに、インピーダンスの整合性と安定性が向上する。さらに、前記同軸ケーブルの前記絶縁被覆の端面と前記ガイド部品の外面を同じ位置に揃えて当接するように設けることによって、同軸ケーブルとアンテナと接続したときに、インピーダンスの一層の安定化を図ることができる。加えて、本発明は、第２の外壁部の穴に、前記中心ピンを前記同軸ケーブルの絶縁体被覆の端面に押え付ける押え付け部品が設けることによって、前記同軸ケーブル中の中心導体と前記中心導体が挿入される中心ピンとの半田付けを、指定の位置により高精度で行うことができる。そのため、同軸ケーブルとアンテナと接続したときに、インピーダンスの整合性と安定化に対して、より優れた効果を有する。
【図面の簡単な説明】
【００１８】
【図１】本発明の同軸ケーブル用コネクタ半田付け冶具の斜視図と展開図である。
【図２】押えつけ部品を取り付けた本発明の同軸ケーブル用コネクタ半田付け冶具の断面図である。
【図３】半田付けを行う同軸ケーブルの概要図である。
【図４】半田付けを行うコネクタの構成図である。
【図５】本発明の同軸ケーブル用コネクタ半田付け冶具にガイド部品を挿入保持した図である。
【図６】本発明の同軸ケーブル用コネクタ半田付け冶具にガイド部品と同軸ケーブルを搭載保持した図である。
【図７】本発明の別の実施の形態による同軸ケーブル用コネクタ半田付け冶具を示す断面図である。
【図８】本発明の第２の実施の形態による同軸ケーブル用コネクタ半田付け冶具及び半田付けの工程を示す断面図である。
【図９】本発明の第２の実施の形態の変形例による同軸ケーブル用コネクタ半田付け冶具及び半田付けの工程を示す断面図である。
【発明を実施するための最良の形態】
【００１９】
以下、本発明の実施の形態を図に基づいて説明する。
［第１の実施の形態］
（１）同軸ケーブル用コネクタ半田付け冶具の構成
図１は、同軸ケーブル用コネクタ半田付け冶具の斜視図と展開図であり、図１（ａ）は同軸ケーブル用コネクタ半田付け冶具の斜視図であり、図１（ｂ）は同軸ケーブル用コネクタ半田付け冶具の正面図であり、図１（ｃ）はその側面図、図１（ｄ）はその上面図であり、図1（ｅ）は同軸ケーブル用コネクタ半田付け冶具を構成する押えつけ部品の正面図と側面図、図１（ｆ）は同軸ケーブル用コネクタ半田付け冶具を構成する固定ネジである。
【００２０】
１は、同軸ケーブル用コネクタ半田付け冶具の本体であり、２は、第２の外壁部３に設けられた押えつけ部品を収納する穴である。
【００２１】
図２は、図１の押えつけ部品を収納する穴２に、図１（ｅ）に示す押えつけ部品を取り付けた図を示す。前記押えつけ部品は、穴２にスプリング１１を挿入後に圧入し、半田付け冶具の本体１に取り付ける。図２に示す４は、コネクタのガイド部品を挿入保持するための穴が形成された第１の内壁部であり、前記ガイド部品のネジ部と勘合するようにネジ切りがされている。
【００２２】
（２）同軸ケーブルの構成
図３は、本発明において半田付けを行う同軸ケーブルの概要図である。本発明では、特別な形状や構成を有する同軸ケーブルを使用する必要はなく、従来から使用されている同軸ケーブルを適用することができる。同軸ケーブルは、中心導体１３と前記中心導体の外側に形成された絶縁被覆１２と、前記絶縁被覆の外側に形成された外部導体１４と、前記外部導体の外側に形成された外部被覆１５で構成されている。本発明は、同軸ケーブルのインピーダンスをより安定させるために、同軸ケーブルは外部被覆１５を除去した後、中心導体１３を残すようにして、外部被覆１５を除去後、外部導体１４と絶縁被覆１２の切断位置が所定の位置になるように切除する方法が採用される。
【００２３】
（３）コネクタの構成
図４は、本初明において半田付けを行うコネクタの構成図である。本発明では、同軸ケーブルと同じように、従来から使用されているコネクタを適用することができる。コネクタは、前記外部被覆を除去し、前記外部導体及び前記絶縁被覆が所定の長さになるように前記中心導体を残して段階的に切除した同軸ケーブルが挿入され、前記中心導体と半田で接合される中心ピン１６と、前記外部被覆を除去した同軸ケーブルの端面に合わせ挿入し、半田で接合されるガイド部品１９と、中心ピン１０に挿入される絶縁体１８とガイド部品１９と共に中心ピン１６と絶縁体１８とを保持固定する袋ナット１７で構成されている。図４に示すガイド部品１９又は絶縁体１８は、それぞれを嵌め合い構造とする場合には、外形の形状又は内部の貫通穴の形状を階段状にして、所望の形状を採用することができる。
【００２４】
（４）同軸ケーブルとコネクタの構成部品との半田付け
図５に、図４に示すガイド部品１９を第１の内壁部４に挿入した後、回転させながら第２の内壁部５に接触するまで保持した図を示す。図５に示す第１の外壁部６は、図３に示す同軸ケーブルの外部被覆を除去し、外部導体、絶縁被覆の切断端面が同じようになるように中心導体を残し段階的に切除し加工した同軸ケーブルを挿入保持できるように溝が形成されたものであり、前記中心導体にコネクタの中心ピンを挿入後、第１の外壁部６の溝と同軸ケーブル用固定冶具に保持したガイド部品１９の穴に前記同軸ケーブルを挿入し、第２の内壁部５に前記絶縁被覆１２と前記外部導体１４との切断端面及び前記ガイド部品１９の外面が同じ位置で当接されるように挿入する。
【００２５】
その後、図６に示すように、同軸ケーブル用コネクタ半田付け冶具に同軸ケーブルを搭載する。図６に示す穴７は、第１の外壁部に同軸ケーブルを挿入後に、同軸ケーブルを固定保持するために図１（ｆ）に示す固定ネジを挿入する穴である。図６に示す穴７において、第１の外壁部の上部に形成されている穴は、前記第１の外壁部に同軸ケーブルを搭載するために切れ込み状の縦溝を形成した場合（図１（ａ）参照）に、前記の固定ネジを回転させながら挿入してネジ締めを行うことにより、前記の縦溝を閉じるようにするために使用されるものである。それによって、第１の外壁部に挿入された同軸ケーブルが固定保持される。また、第１の外壁部において同軸ケーブルの搭載位置と同じ位置に形成される別の穴は、第１の外壁部に挿入された同軸ケーブルを、前記の固定ネジの挿入又はネジ締めによって直接に、又は緩衝剤を介入させて固定保持するために使用されるものである。図６に示す穴７は、第１の外壁部に形成される切れ込み状の縦溝の有無又はその縦溝の形状に応じて、第１の外壁部の上部と同軸ケーブルの搭載位置と同じ位置又はそれらのどちらか一つの位置に形成される。本発明では、同軸ケーブルの固定保持の程度に応じて、図６に示す穴７の両者又はどちらか一方を利用する。
【００２６】
このようにして同軸ケーブルを搭載して固定保持した後、第２の内壁部５と第２の外壁部３の空間９で、前記中心ピン１６の半田孔２０から、半田を充填し、前記同軸ケーブルの中心導体と前記中心ピン１６とを半田接合させる。ここで、第２の内壁部５の穴の直径は、同軸ケーブルの絶縁被膜１２の外径よりも小さくすることによって、前記同軸ケーブルの絶縁被膜の端面を第２の内壁部の外面（第１の内壁部側に位置する面）に位置合わせするときに、前記第２の内壁部５の外面がストッパーの役目をするため、位置合わせが容易となる。また、第２の内壁部５の穴の直径は、同軸ケーブルの中心ピン１６よりも大きくすることによって、前記中心ピン１６を同軸ケーブルの絶線被覆の端面に接するようにする工程において前記中心ピンが移動する際の変形が防止されるため、円滑な半田付けを行うことができる。本発明は、前記同軸ケーブルの中心ピンと絶線被覆の端面とが確実に接するようにして、前記同軸ケーブルの中心導体と前記中心ピン１６との半田接合を行うことによって、同軸ケーブルとアンテナとを接続したときのインピーダンスの整合性と安定性の大幅な向上を図ることができる。
【００２７】
次に、第１の外壁部６と第１の内壁部４の空間１０で、前記コネクタの構成部品であるガイド部１９と前記同軸ケーブルの外部導体の隙間と接触面を第１の外壁部側の挿入面から半田を充填し、半田接合させる。なお、図６には、同軸ケーブルの外部導体が具体的に示されていないが、本願発明では、前記外部導体は前記同軸ケーブルの絶縁被膜の外側を所定の長さで全体的に覆っている構造を有する。
【００２８】
上記の半田作業が完了し、半田付け部が十分に冷えた後、固定ネジで同軸ケーブルの固定を緩め、同軸ケーブルを回転させ、ガイド部品と第１の内壁部を分離させる。最後に、固定ネジを取り外し、第１の外壁部の溝（図１（ｄ）に示す第１の外壁部の溝８に相当する溝）より、同軸ケーブルを取り出し、作業を完了する。
【００２９】
このようにして得られた同軸ケーブルを取り付けたコネクタを用いて、同軸アンテナとアンテナとを接続したときに、両者のインピーダンス整合性と安定性を評価した。その結果、本発明の半田付け冶具を用いないで、コネクタの中心ピンと同軸ケーブルの中心導体との半田付けだけを行った場合と比べて、インピーダンス整合性と安定性が優れることが確認できた。特に、本実施の形態は、前記同軸ケーブルの前記絶縁被覆の端面と前記ガイド部品の外面が同じ位置に揃えて当接するように設けられているために、同軸アンテナとアンテナとのインピーダンスの安定性が非常に優れることを確認した。
【００３０】
［第１の実施の形態の変形例］
図７は、第１の実施の形態の変形例である同軸ケーブル用コネクタ半田付け冶具を示す断面図である。図７では、第２の内壁部５が有する穴は階段状の穴となっており、同軸ケーブルの絶線被覆と中心ピンの両者を挿入保持するような形状となっている。そのため、図６の場合と異なり、同軸ケーブルの前記絶縁被覆１２の端面と前記ガイド部品１９の外面（第２の内壁部に接する面）がそれぞれ異なった位置に当接されて半田付けされている。
【００３１】
図７に示す同軸ケーブル用コネクタ半田付け冶具を用いて、上記の第１の実施の形態と同じ方法で半田付けを行った。そのようにして得られた同軸ケーブルを取り付けたコネクタを用いて、同軸ケーブルとアンテナとを接続したときに、両者のインピーダンス整合性と安定性を評価した。その結果、同軸ケーブルとアンテナとのインピーダンス整合性は、第１の実施の形態で得られたものとほぼ同じ特性を示したが、インピーダンスの安定性はやや劣ることが分かった。しかし、コネクタの中心ピンと同軸ケーブルの中心導体との半田付けだけを行った場合と比べると、インピーダンス整合性と安定性は優れていることが確認された。
【００３２】
このように、本発明は、同軸ケーブルの前記絶縁被覆の端面と前記ガイド部品の外面の位置を、第２の内壁部に形成された穴の形状によって自由に、かつ高精度に設定することができるため、従来の半田付け冶具を用いた場合よりも同軸ケーブルとアンテナとを接続したときの電気特性を安定させることができる。
【００３３】
［第２の実施の形態］
図８は、本発明の第２の実施の形態による同軸ケーブル用コネクタ半田付け冶具及び半田付けの工程を示す断面図である。本発明は、同軸ケーブル用コネクタ半田付け冶具の第１の外壁部６、第１の内壁部４、第２の内壁部５、及び第２の外壁部３の少なくとも何れか一つに開閉式の冶具を採用することによって、同軸ケーブル、中心ピン、及びコネクタのガイド部品の少なくとも何れか一つを上部から搭載できるようになり、同軸カーブルの搬送、取り付け及び取り出しが非常に簡単になる。図８には、第１の外壁部６、第１の内壁部４及び第２の内壁部５が開閉式の構造になっているものを示している。
【００３４】
まず、ガイド部品１９を第１の内壁部４に、ガイド部品１９を回転させながら第２の内壁部５に接触するまで挿入する（図８の（ａ））。このとき、第1の内壁部４において、同軸ケーブル用コネクタ半田付け冶具の本体１と一体になった下部は、前記ガイド部品の半円周よりも高い位置まで設けることによって、ガイド部品１９を確実に固定保持することができる。その後、同軸ケーブルと中心ピンを、上部から第２外壁部３に形成された溝につき合わせながら挿入搭載して（図８の（ｂ））、第１の外壁部の上部２２、第１の内壁部の上部２３及び第２の内壁部の上部２４を閉じることによって確実な固定を行った後、第１の実施の形態と同じ方法で半田付けが行われる（図８の（ｃ））。この方法を採用することによって、半田付け後の同軸ケーブルとガイド品の取り出しが非常に簡単となり、半田付け工程の時間短縮を大幅に図ることができる。
【００３５】
ここで、第１の内壁部４の下部は、ガイド部品の形状やネジの有無に応じて最適な形状を採用することができる。例えば、ネジを有しないガイド部品を用いて半田付けを行う場合には、第１の内壁部４の下部は前記ガイド部品の外径と同じ程度の径を有する穴を形成すれば良い。また、ガイド部品の周円の大きさも、前記ガイド部品が動かなければ、例えば、前記ガイド部品の半円周と同程度、又はそれ以下に設定しても良い。その際は、第１の内壁部の上部２３の構造は簡単なものを選ぶことができる。
【００３６】
［第２の実施の形態の変形例］
図９は、第２の実施の形態の変形例である同軸ケーブル用コネクタ半田付け冶具及び半田付けの工程を示す断面図であり、コネクタの構成備品であるガイド部品１９を固定保持するための第１の内壁部４を、同軸ケーブル用コネクタ半田付け冶具の本体１に着脱可能なものとしたものである。
【００３７】
あらかじめガイド部品１９が装着された第１の内壁部４を、同軸ケーブル用コネクタ半田付け冶具の本体１に設けられている着脱用穴２５に装着した後（図９（ａ））、前記ガイド部品１９をさらに回転させながら第２の内壁部５に接触するまで挿入して保持する。上記の第２の実施の形態と同じ方法で、同軸ケーブルと中心ピンを上部から搭載する（図９（ｂ））。さらに、第１の外壁部の上部２２、第２の内壁部の上部２４を閉じることによって確実な固定を行った後、第１の実施の形態と同じ方法で半田付けを行う（図９（ｃ））。この実施の形態では、第１の内壁部４に前記のガイド部品１９を装着する工程があらかじめ先に行われるため、後の半田付け工程に移行するまでの時間を短縮化することができ、また、半田付け後の同軸ケーブルとガイド部品の取り出しを容易に行うことができる。それによって、量産性に優れる半田付けの方法とすることができる。
【００３８】
このように、本発明によれば、同軸ケーブル中の中心導体と中心導体が挿入される中心ピンとを指定の位置に精度良く半田付けできるために、前記中心ピンのコネクタ内における位置のバラツキを低減することができる。さらに、前記の中心導体と中心ピンとの半田接合部に発生するダメージを小さくすることができるため、同軸ケーブルの中心と中心コネクタとの半田付け部分の変形や破損が防止され、同軸ケーブルとアンテナとを接続したときに、アンテナの給電部等の破損を防止できるだけでなく、インピーダンス整合性と安定性において優れた特性を発揮することができる。
【符号の説明】
【００３９】
１…半田付け冶具の本体、２…押さえつけ部品を収納する穴、３…第２の外壁部、４…第１の内壁部、５…第２の内壁部、６…第１の外壁部、７…固定ネジを挿入する穴、８…第１の外壁部の溝、９…第２の内壁部と第２の外壁部の空間、１０…第１の外壁部と第１の内壁部の空間、１１…スプリング、１２…絶縁被膜、１３…中心導体、１４…外部導体、１５…外部被膜、１６…中心ピン、１７…袋ナット、１８…絶縁体、１９…ガイド部品、２０…半田孔、２１…中心導体挿入溝、２２…第１の外壁部の上部、２３…第１の内壁部の上部、２４…第２の内壁部の上部、２５…ガイド部品が装着された第１の内壁部の着脱用穴。
【図１】
2011210414.tif 000003
【図２】
2011210414.tif 000004
【図３】
2011210414.tif 000005
【図４】
2011210414.tif 000006
【図５】
2011210414.tif 000007
【図６】
2011210414.tif 000008
【図７】
2011210414.tif 000009
【図８】
2011210414.tif 000010
【図９】
2011210414.tif 000011